(57)【要約】【課題】ＬＥＤランプを無断で持ち去ることが困難な照明器具等を提供する。【解決手段】照明器具は、直管形のＬＥＤランプ１００を着脱可能に装着でき、装着されたＬＥＤランプ１００を点灯する機能を備えた照明器具である。照明器具は、ＬＥＤランプ１００の両端の口金を保持するソケット２２０と、ソケット２２０を覆うカバーであって、ＬＥＤランプ１００の着脱を不能にするよう、少なくともカバーの一部がＬＥＤランプ１００の一部を覆う位置まで、ＬＥＤランプ１００の長手方向に沿ってスライドさせることが可能なソケットカバー２３０と、ソケットカバー２３０がＬＥＤランプ１００の一部を覆った状態でソケットカバー２３０のスライドをロックする操作が可能なスライドロック機構とを備えている。【選択図】図７
2014103046.tif 000002
【特許請求の範囲】
【請求項１】
直管形のＬＥＤランプを着脱可能に装着でき、装着されたＬＥＤランプを点灯する機能を備えた照明器具であって、
前記ＬＥＤランプの両端の口金を保持するソケットと、
前記ソケットを覆うカバーであって、前記ＬＥＤランプの着脱を不能にするよう、少なくともカバーの一部が前記ＬＥＤランプの一部を覆う位置まで、前記ＬＥＤランプの長手方向に沿ってスライドさせることが可能なソケットカバーと、
前記ソケットカバーが前記ＬＥＤランプの一部を覆った状態で前記ソケットカバーのスライドをロックする操作が可能なスライドロック機構と、を備える、
ことを特徴とする照明器具。
【請求項２】
前記スライドロック機構は、
前記ソケットカバーの内側に軸方向が前記ソケットカバーのスライド方向と略直角となるよう配置され、軸方向に往復動可能な棒状のロックピンと、
前記ロックピンに対して軸方向外側に押圧力を加える弾性体と、
前記ロックピンの先端部が前記ソケットカバーの内側に位置するまで前記ロックピンが押し込まれた状態で、前記ロックピンを前記弾性体の押圧力に反して係止する係止具と、を備え、
前記ソケットカバーは、前記ロックピンが嵌挿可能な嵌挿穴を備え、
前記ロックピンは、
前記ソケットカバーが前記ＬＥＤランプの一部を覆った状態にあるときに、前記弾性体の押圧力で押し出されて前記嵌挿穴に嵌挿することで前記ソケットカバーのスライドをロックし、
前記先端部が前記ソケットカバーの内側に位置するまで押し込まれた状態で前記係止具に係止されることで前記ソケットカバーのスライドを可能にする、
ことを特徴とする請求項１に記載の照明器具。
【請求項３】
前記嵌挿穴の穴径は、１５ｍｍよりも小さい、
ことを特徴とする請求項２に記載の照明器具。
【請求項４】
前記ロックピンは、
前記先端部の端面にドライバーの刃部を嵌脱可能な溝を備え、
前記ソケットカバーの内側まで押し込まれた後、さらに、ドライバーで回転されることによって前記係止具に係止され、
ドライバーで逆方向に回転されることによって係止が解除され、前記弾性体の押圧力で自動的に押し出される、
ことを特徴とする請求項２又は３に記載の照明器具。
【請求項５】
請求項１乃至４のいずれか１項に記載の照明器具を備える、
ことを特徴とする列車。
【発明の詳細な説明】
【技術分野】
【０００１】
本発明は、照明器具、及び列車に関する。
【背景技術】
【０００２】
蛍光ランプから省電力で長寿命なＬＥＤ（Light Emitting Diode）ランプへの置き換えが進んでいる。特許文献１には、従来の蛍光灯具にそのまま取り付け可能な直管形ＬＥＤランプが開示されている。
【先行技術文献】
【特許文献】
【０００３】
【特許文献１】特開２０１２−１４６４６８号公報
【発明の概要】
【発明が解決しようとする課題】
【０００４】
列車等の不特定多数が出入りする場所では、備品が無断で持ち去られる可能性がある。通常、列車の室内灯には蛍光ランプが使用されるが、蛍光ランプは安価であるため、取り外されて持ち去られたとしても、その被害額は軽微である。しかしながら、列車の室内灯にＬＥＤランプを使用した場合、ＬＥＤランプは蛍光ランプとは違い高価であるため、その被害額は大きなものになる。
【０００５】
本発明はこのような問題に鑑みてなされたものであり、ＬＥＤランプを無断で持ち去ることが困難な照明器具、及び列車を提供することを目的とする。
【課題を解決するための手段】
【０００６】
本発明の第１の観点に係る照明器具は、
直管形のＬＥＤランプを着脱可能に装着でき、装着されたＬＥＤランプを点灯する機能を備えた照明器具であって、
前記ＬＥＤランプの両端の口金を保持するソケットと、
前記ソケットを覆うカバーであって、前記ＬＥＤランプの着脱を不能にするよう、少なくともカバーの一部が前記ＬＥＤランプの一部を覆う位置まで、前記ＬＥＤランプの長手方向に沿ってスライドさせることが可能なソケットカバーと、
前記ソケットカバーが前記ＬＥＤランプの一部を覆った状態で前記ソケットカバーのスライドをロックする操作が可能なスライドロック機構と、を備える、
ことを特徴とする。
【０００７】
前記スライドロック機構は、
前記ソケットカバーの内側に軸方向が前記ソケットカバーのスライド方向と略直角となるよう配置され、軸方向に往復動可能な棒状のロックピンと、
前記ロックピンに対して軸方向外側に押圧力を加える弾性体と、
前記ロックピンの先端部が前記ソケットカバーの内側に位置するまで前記ロックピンが押し込まれた状態で、前記ロックピンを前記弾性体の押圧力に反して係止する係止具と、を備え、
前記ソケットカバーは、前記ロックピンが嵌挿可能な嵌挿穴を備え、
前記ロックピンは、
前記ソケットカバーが前記ＬＥＤランプの一部を覆った状態にあるときに、前記弾性体の押圧力で押し出されて前記嵌挿穴に嵌挿することで前記ソケットカバーのスライドをロックし、
前記先端部が前記ソケットカバーの内側に位置するまで押し込まれた状態で前記係止具に係止されることで前記ソケットカバーのスライドを可能にしてもよい。
【０００８】
前記嵌挿穴の穴径は、１５ｍｍよりも小さくてもよい。
【０００９】
前記ロックピンは、
前記先端部の端面にドライバーの刃部を嵌脱可能な溝を備え、
前記ソケットカバーの内側まで押し込まれた後、さらに、ドライバーで回転されることによって前記係止具に係止され、
ドライバーで逆方向に回転されることによって係止が解除され、前記弾性体の押圧力で自動的に押し出されてもよい。
【００１０】
本発明の第２の観点に係る列車は、
前記第１の観点に係る照明器具を備える、
ことを特徴とする。
【発明の効果】
【００１１】
本発明によれば、ＬＥＤランプを無断で持ち去ることが困難な照明器具、及び列車を提供できる。
【図面の簡単な説明】
【００１２】
【図１】本発明の実施の形態に係る照明装置の斜視図である。
【図２】図１に示す照明装置の部分拡大図およびその部分の分解図である。
【図３】ロックピンを説明するための図であり、（Ａ）はロックピンを上方から見た斜視図、（Ｂ）はロックピンを下方から見た斜視図である。
【図４】係止具を説明するための図であり、（Ａ）は係止具の斜視図、（Ｂ）は係止具の平面図である。
【図５】スライドロック機構を説明するための図であり、（Ａ）はソケットカバーがスライドロックされているときのスライドロック機構の斜視図、（Ｂ）はソケットカバーがスライドロックされているときのスライドロック機構の部分断面図である。
【図６】スライドロック機構を説明するための図であり、（Ａ）はスライドロックが解除されているときのスライドロック機構の斜視図、（Ｂ）はスライドロックが解除されているときのスライドロック機構の部分断面図である。
【図７】ソケットカバーのスライドの様子を説明するための図であり、（Ａ）はＬＥＤランプの着脱が不能な位置にソケットカバーがあるときの照明装置の両端の斜視図、（Ｂ）はＬＥＤランプの着脱が可能な位置にソケットカバーがあるときの照明装置の両端の斜視図である。
【図８】ソケットカバーのスライドをロックする様子を示す図である。
【図９】ソケットカバーのスライドロックを解除する様子を示す図である。
【発明を実施するための形態】
【００１３】
以下、本発明を実施するための形態について図面を参照しながら説明する。
【００１４】
本発明の実施の形態に係る照明器具を備えた照明装置１は、例えば図１に示すような列車の室内灯である。ここで、「列車」とは、電車や気動車等、軌道上を走行する車両のことをいう。なお、列車には、路面を走行する路面電車、１本のレール上を走行するモノレール、軌道上をゴムタイヤで走行するタイヤ走行車、軌道上を浮上して走るリニアモーターカー等も含まれ、さらに、１両編成の単行列車も含まれる。
【００１５】
図２は、照明装置１の構造を理解容易にするため、照明装置１の一端（図１に示す（ａ））を分解したものである。なお、照明装置１の他端は、図１に示す（ａ）と同様の構成であるので説明を省略する。照明装置１は、図２に示すように、ＬＥＤランプ１００と、照明器具２００とから構成される。
【００１６】
ＬＥＤランプ１００は、照明装置１の光源となる直管形のランプである。ここで「直管形のランプ」とは、両端に口金を有する棒状のランプのことをいい、ＦＬ型、ＦＬＲ型、ＦＨＦ型、スリムＦＨＦ型、ＦＳＬ（スリムライン）型等、ＪＩＳＣ７６０１等に定める直管蛍光ランプと同じ形状をした直管蛍光型のランプのみならず、日本電球工業会が制定したＪＥＬ８０１やＪＥＬ８０２に準拠した形状のランプも含まれる。なお、直管形のランプには、日本電球工業会規格、日本工業規格、ＩＥＣ国際規格等により規格化された形状のランプのみならず、メーカー独自の形状のランプも含まれる。
【００１７】
ＬＥＤランプ１００は、直管蛍光ランプと同様に、透光管１１０の両端に口金１２０を備えている。透光管１１０の内部には、不図示のＬＥＤ素子が複数配置されており、ＬＥＤランプ１００は、口金１２０で受給した電力を使ってＬＥＤ素子を発光させる。
【００１８】
照明器具２００は、ＬＥＤランプ１００を着脱可能に装着できる灯具である。照明器具２００は、図２下側の分解図に示すように、筐体２１０と、ソケット２２０と、ソケットカバー２３０と、スライドロック機構２４０とから構成される。
【００１９】
筐体２１０は、照明器具２００の本体部分である。筐体２１０は、ＡＣ−ＤＣコンバータやＤＣ−ＤＣコンバータ等の電源回路を備え、外部から供給された電力をＬＥＤランプ１００に供給する。筐体２１０には、床側に向けて突出したソケット２２０が固定されている。ソケット２２０の両サイドには長手方向に走るスライドレール２１１が形成されている。
【００２０】
ソケット２２０は、ＬＥＤランプ１００の両端の口金部分が圧着されるソケットである。ソケット２２０は、装着されたＬＥＤランプ１００を挟持するとともに、口金１２０を介してＬＥＤランプ１００内部のＬＥＤ点灯回路に電力を供給する。
【００２１】
ソケットカバー２３０は、ソケット２２０を覆うためのカバーである。ソケット２２０は、断面がＵ字形のトンネル状カバーである。ソケットカバー２３０は、下側にアーチ状の曲面部、上側に長手方向に平行な２つの縁辺を有している。ソケットカバー２３０は、２つの縁辺がスライドレール２１１に遊嵌された状態で筐体２１０に吊持されている。ソケットカバー２３０の曲面部には、後述のロックピン２４１の先端が嵌挿可能な大きさの嵌挿穴が形成されている。嵌合穴は、人の指が容易に入らないように、１５ｍｍよりも小さな穴径となっている。なお、嵌合穴は、人の指が確実に入らないように、指輪の１号（ＩＳＯ−８６５３やＪＩＳ−Ｓ４７００であれば４１号）の径よりも小さい、１３ｍｍより小さな穴径であってもよい。なお、嵌合穴の望ましい穴径は、１０ｍｍ以下、より望ましくは５ｍｍ以下である。ここで、「穴径」とは、穴の形状に納まる円のうち最も大きな円の直径のことをいう。例えば、嵌合穴が円形なのであればその直径、楕円なのであればその短径、正三角形や正四角形等の正多角形なのであれば内接円の直径のことをいう。
【００２２】
スライドロック機構２４０は、ソケットカバーのスライドをロックするための機構である。スライドロック機構２４０は、ロックピン２４１と、フランジ２４２と、係止具２４３と、弾性体２４４と、固定具２４５とから構成される。
【００２３】
ロックピン２４１は、ソケットカバー２３０の嵌挿穴に嵌挿することで、ソケットカバー２３０のスライドをロックする棒状のピンである。ロックピン２４１は、図３（Ａ）に示すように、円柱形状のピン本体部２４１ａと、ピン本体部２４１ａの一方の先端部の周面に配置され、軸方向に直角に突出した突出部２４１ｂとから構成される。ロックピン２４１の一方の端面（突出部２４１ｂとは反対の先端部の端面）には、図３（Ｂ）に示すように、ドライバー（例えば、マイナスドライバー）の刃部が嵌脱可能な溝が形成されている。なお、以下の説明では、理解を容易にするため、ロックピン２４１の突出部２４１ｂ側の先端部を「内側先端部」、その反対側の先端部を「外側先端部」と呼ぶ。また、ロックピン２４１の軸方向の突出部２４１ｂ側を「軸方向内側」、その反対側を「軸方向外側」と呼ぶ。
【００２４】
フランジ２４２は、ロックピン２４１のフランジを形成するための部品である。フランジ２４２は、リング状をしており、ロックピン２４１の周面に平面を軸方向に向け固定される。
【００２５】
係止具２４３は、ロックピン２４１を係止するための部品である。係止具２４３には、図４（Ａ）に示すように、ロックピン２４１の内側先端部を軸方向から見た形状と同じ鍵穴形状の貫通穴が形成されている。係止具２４３には、図４（Ｂ）に示すように、ロックピン２４１の回転係止を可能にする平面視で扇形の係止溝が形成されている。図５（Ａ）に示すように、貫通穴にロックピン２４１の内側先端部が嵌挿された状態で固定具２４５に固定される。貫通穴はロックピン２４１の内側先端部より若干大きめに形成されおり、ロックピン２４１の軸方向への往復動が可能となっている。
【００２６】
弾性体２４４は、ロックピン２４１に対して軸方向外側に、押圧力を加えるバネである。弾性体２４４は、螺旋状をしており、フランジ２４２と係止具２４３の間に、ピン本体部２４１ａが中央に挿入された状態で配置されている。
【００２７】
固定具２４５は、ロックピン２４１とフランジ２４２と係止具２４３と弾性体２４４とを筐体２１０に固定するための固定具である。固定具２４５の下側平面部には、ロックピン２４１の内側先端部と同じ形状の貫通穴が形成されている。貫通穴にはロックピン２４１の内側先端部が嵌挿されている。貫通穴はロックピン２４１の外側先端部より若干大きめに形成されおり、ロックピン２４１の軸方向への往復動が可能となっている。貫通穴の径はフランジ２４２の径より小さくなっており、図５（Ｂ）に示すように、ロックピン２４１が固定具２４５から抜け出ないようになっている。
【００２８】
ロックピン２４１は、軸方向がソケットカバー２３０のスライド方向と略直角となるよう配置されている。前述したように、係止具２４３および固定具２４５の貫通穴は、ロックピン２４１よりやや大きめに形成されている。そのため、ロックピン２４１は、挿脱および回転が自在となっている。ロックピン２４１は、軸方向内側に挿入されて時計回りに９０度回転すると、図６（Ａ）に示すように、突出部２４１ｂが係止具２４３の係止溝に引っかかり、図６（Ｂ）に示すように、軸方向内側に位置したまま軸方向外側への移動が不能になる。
【００２９】
次に、このような構成を有する照明装置１の動作について説明する。
【００３０】
ソケットカバー２３０は、図７（Ａ）に示すように、ＬＥＤランプ１００の一部（例えば、口金１２０）を覆ってＬＥＤランプ１００の着脱が不能な位置（以下、「スライド位置１」という。）と、図７（Ｂ）に示すように、ＬＥＤランプ１００より軸方向外側に位置し、ＬＥＤランプ１００の着脱が可能な位置（以下、「スライド位置２」という。）との間を往復動可能に構成されている。
【００３１】
ユーザがソケットカバー２３０に対し軸方向外側に力を加えると、ソケットカバー２３０は軸方向外側にスライドする。そうすると、ソケットカバー２３０は、図７（Ｂ）に示すように、スライド位置２に位置し、ＬＥＤランプ１００は着脱可能な状態となる。ＬＥＤランプ１００が装着され、ユーザがソケットカバー２３０の軸方向内側に力を加えると、ソケットカバー２３０は軸方向内側にスライドし、図７（Ａ）に示すように、ソケット２２０とともにＬＥＤランプ１００の一部を覆う。
【００３２】
ソケットカバー２３０の嵌挿穴は、ソケットカバー２３０がスライド位置１にあるときに、ロックピン２４１の位置と一致するよう位置調整されている。ユーザが嵌挿穴にドライバーの先端を挿入し、刃部を端面の溝に嵌めこみ、図８に示すように、ロックピン２４１を反時計回りに回転させると、突出部２４１ｂは係止具２４３の係止溝からはずれ、係止具２４３の鍵穴状の貫通穴に嵌合した状態となる。そうすると、ロックピン２４１は、弾性体２４４の押圧力で自動的に軸方向外側に押し出され、外側先端部が、図５（Ｂ）に示すように、ソケットカバー２３０の嵌挿穴に嵌挿する。そうすると、ソケットカバー２３０はスライド不能な状態となり、ＬＥＤランプ１００は容易に取り外しできなくなる。
【００３３】
一方、ＬＥＤランプ１００を外すときは、ユーザはロックピン２４１を軸方向内側に押し込む。前述したように、ソケットカバー２３０の嵌合穴の大きさは人の指が入らない大きさとなっているので、図９に示すように、ユーザはドライバーを使ってロックピン２４１を軸方向内側に押し込む必要がある。押し込んだ状態で、ユーザがロックピン２４１を時計回りに回転させると、図６（Ａ）に示すように、突出部２４１ｂは係止具２４３の溝に引っかかり、ロックピン２４１は軸方向外側に移動できない状態となる。そうすると、ソケットカバー２３０は再びスライド可能な状態となり、ユーザがソケットカバー２３０をスライド位置２までスライドさせることで、ＬＥＤランプ１００は着脱可能となる。
【００３４】
本実施の形態によれば、ＬＥＤランプ１００の着脱が不可能な状態でソケットカバー２３０のスライドをロックできるよう構成されているので、安易にＬＥＤランプ１００を取り外すことができなくなる。その結果、ＬＥＤランプ１００の持ち去りが抑制される。
【００３５】
また、ソケットカバー２３０の嵌挿穴の大きさは、人の指が入らない大きさとなっているので、ドライバーなしでスライドロックを解除できない。そのため、例えスライドロックの解除方法を知っている者がいたとしても、安易にＬＥＤランプ１００を取り外すことができず、結果、ＬＥＤランプ１００の持ち去りが抑制される。
【００３６】
また、ＬＥＤランプ１００の着脱が必要になったとしても、ドライバーがあれば簡単にスライドロックを解除できるので、ＬＥＤランプ１００の着脱効率を低下させることはない。
【００３７】
なお、上述の各実施の形態は一例であり、種々の変更及び応用が可能である。
【００３８】
例えば、上述の実施の形態では、ロックピン２４１の端面にマイナスドライバーの刃部が嵌脱可能な溝が形成されていたが、溝はマイナスドライバーの刃部が嵌脱可能な形状に限定されない。例えば、溝の形状はプラスドライバーや六角ドライバーの刃部が嵌脱可能な形状であってもよいし、市販されていない専用のドライバーが嵌脱可能な形状であってもよい。
【００３９】
また、照明装置１を設置する設備は「列車」に限定されず、例えば、オフィスビル等の建物であってもよいし、自動車、自転車、船舶、飛行機、ヘリコプター等の「輸送機器」であってもよい。
【００４０】
本発明は、本発明の広義の精神と範囲を逸脱することなく、様々な実施の形態及び変形が可能とされるものである。また、上述した実施の形態は、本発明を説明するためのものであり、本発明の範囲を限定するものではない。つまり、本発明の範囲は、実施の形態ではなく、特許請求の範囲によって示される。そして、特許請求の範囲内及びそれと同等の発明の意義の範囲内で施される様々な変形が、本発明の範囲内とみなされる。
【符号の説明】
【００４１】
１        照明装置
１００    ＬＥＤランプ
１１０    透光管
１２０    口金
２００    照明器具
２１０    筐体
２１１    スライドレール
２２０    ソケット
２３０    ソケットカバー
２４０    スライドロック機構
２４１    ロックピン
２４１ａ  ピン本体部
２４１ｂ  突出部
２４２    フランジ
２４３    係止具
２４４    弾性体
２４５    固定具
【図３】
2014103046.tif 000003
【図１】
2014103046.tif 000004
【図２】
2014103046.tif 000005
【図４】
2014103046.tif 000006
【図５】
2014103046.tif 000007
【図６】
2014103046.tif 000008
【図７】
2014103046.tif 000009
【図８】
2014103046.tif 000010
【図９】
2014103046.tif 000011